(57)【要約】【課題】簡単な操作により携帯電話機の位置を特定の通報先端末装置に送信する。【解決手段】緊急時に携帯電話機１の緊急用赤ボタン１７を押下すると、ＧＰＳ受信機１８により携帯電話機１の位置が検出され、この携帯電話機１の位置、周辺の映像や音声、個人情報等がサーバ４を介して通報先端末装置３に送信され、通報先端末装置３により携帯電話機１の位置、周辺の映像や音声等が報知される。このため、警備会社では、通報先端末装置３の報知に応じて、携帯電話機１の位置、周辺の映像や音声等を直ちに確認し、何等かの対処を速やかに行うことができる。【選択図】図１
2004040733.tif 000002
【特許請求の範囲】
【請求項１】
携帯電話機と、サーバと、通報先端末装置とを備え、
携帯電話機は、緊急用ボタン及びＧＰＳ機能を有しており、緊急用ボタンが操作されると、これに応答してＧＰＳ機能により該携帯電話機の位置を検出し、サーバをネットワークを通じて呼び出して、該携帯電話機の位置をサーバに送信し、
サーバは、該携帯電話機の位置を受信すると、通報先端末装置をネットワークを通じて呼び出して、該携帯電話機の位置を通報先端末装置に送信することを特徴とするセキュリティシステム。
【請求項２】
緊急用ボタンと、
該携帯電話機の位置を検出するＧＰＳ機能とを備え、
緊急用ボタンが操作されると、これに応答してＧＰＳ機能により該携帯電話機の位置を検出し、予め設定されたサーバをネットワークを通じて呼び出して、該携帯電話機の位置を該サーバに送信することを特徴とする緊急通報機能付き携帯電話機。
【請求項３】
補助バッテリーを更に備え、
緊急用ボタンが操作されると、該補助バッテリーを該携帯電話機の電源として用いることを特徴とする請求項２に記載の緊急通報機能付き携帯電話機。
【発明の詳細な説明】
【０００１】
【発明の属する技術分野】
本発明は、緊急時に携帯電話機の位置を通報するセキュリティシステム及び緊急通報機能付き携帯電話機に関する。
【０００２】
【従来の技術】
近年、携帯電話機の多機能化に伴って、携帯電話機の利用形態も多様化されている。その利用形態の一つとして、ＧＰＳ（Ｇｌｏｂａｌ　Ｐｏｓｉｔｉｏｎｉｎｇ　Ｓｙｓｔｅｍ）機能を携帯電話機に搭載しておき、携帯電話機の所有者の所在位置を知りたいときに、携帯電話機を呼び出して、ＧＰＳ機能により携帯電話機の位置を検出させ、この位置を該携帯電話機から送信させて、この位置を外部に通報するというものがある。例えば、この携帯電話機を子供に与えておけば、子供の所在位置を随時知ることが可能になる。
【０００３】
【発明が解決しようとする課題】
しかしながら、上記従来の技術では、携帯電話機の所有者本人ではなく、携帯電話機の所有者とは異なる人物の要求に応じて、外部から携帯電話機へのアクセスが行われ、携帯電話機の位置が外部に通報される。このため、携帯電話機の所有者が危険な状況にあっても、携帯電話機の位置が外部に通報されるとは限らない。例えば、子供が危険な状況に置かれても、携帯電話機の位置が外部に通報されるとは限らない。
【０００４】
また、携帯電話機の所有者は、携帯電話機の通話機能や電子メールの機能等を用いれば、自分の所在位置を外部に通報することができるものの、携帯電話機の操作等が必要となるので、極めて短時間のうちに通報することは実質的に不可能である。また、病気やけが等により身体の自由がきかず、携帯電話機の操作等を十分に行うことができないときにも、通報することができなくなる。
【０００５】
そこで、本発明は、上記従来の問題点に鑑みてなされたものであり、簡単な操作により携帯電話機の位置を特定の通報先端末装置に送信することが可能なセキュリティシステム及び緊急通報機能付き携帯電話機を提供することを目的とする。
【０００６】
【課題を解決するための手段】
上記課題を解決するために、本発明のセキュリティシステムは、携帯電話機と、サーバと、通報先端末装置とを備え、携帯電話機は、緊急用ボタン及びＧＰＳ機能を有しており、緊急用ボタンが操作されると、これに応答してＧＰＳ機能により該携帯電話機の位置を検出し、サーバをネットワークを通じて呼び出して、該携帯電話機の位置をサーバに送信し、サーバは、該携帯電話機の位置を受信すると、通報先端末装置をネットワークを通じて呼び出して、該携帯電話機の位置を通報先端末装置に送信している。
【０００７】
この様な本発明のシステムによれば、緊急用ボタン及びＧＰＳ機能を携帯電話機に設けている。そして、この緊急用ボタンが操作されると、ＧＰＳ機能により携帯電話機の位置が検出され、この携帯電話機の位置がサーバを介して通報先端末装置へと送信される。従って、緊急用ボタンのみを操作するという極めて簡単な操作により、携帯電話機の位置を通報先端末装置に通報することができる。このため、子供、病人、けが人等であっても、自分の所在位置を容易かつ確実に外部に知らせることができる。また、携帯電話機の位置をサーバを介して通報先端末装置に送信しているので、通報先端末装置が通話中であっても、携帯電話機の位置が通報先端末装置で受信されるまで、携帯電話機の位置がサーバから通報先端末装置へと繰り返し送信される。
【０００８】
次に、本発明の緊急通報機能付き携帯電話機は、緊急用ボタンと、該携帯電話機の位置を検出するＧＰＳ機能とを備え、緊急用ボタンが操作されると、これに応答してＧＰＳ機能により該携帯電話機の位置を検出し、予め設定されたサーバをネットワークを通じて呼び出して、該携帯電話機の位置を該サーバに送信している。
【０００９】
この様な本発明の携帯電話機によれば、緊急用ボタンが操作されると、ＧＰＳ機能により携帯電話機の位置が検出され、この携帯電話機の位置がサーバへと送信される。従って、緊急用ボタンのみを操作するという極めて簡単な操作により、携帯電話機の位置をサーバに送信することができる。更に、携帯電話機の位置をサーバから通報先端末装置に送信したり、通報先端末装置からサーバを定期的にアクセスして、携帯電話機の位置をサーバから通報先端末装置へと取り込めば、携帯電話機の位置を通報先端末装置に通報することができる。
【００１０】
また、本発明においては、補助バッテリーを更に備え、緊急用ボタンが操作されると、該補助バッテリーを該携帯電話機の電源として用いている。
【００１１】
この様に緊急用ボタンが操作されたときに、補助バッテリーを携帯電話機の電源として用いれば、携帯電話機の主電源が使い切られていたり、主電源のスイッチがオフになっている状況であっても、携帯電話機の位置を送信することができる。
【００１２】
【発明の実施の形態】
以下、本発明の実施形態を添付図面を参照して詳細に説明する。
【００１３】
図１は、本発明のセキュリティシステムの一実施形態を示すブロック図である。本実施形態のシステムは、携帯電話機１と、携帯電話機１と無線通信を行う無線基地局２と、警備会社に設けられた通報先端末装置３と、プロバイダに設けられたサーバ４とを備えている。
【００１４】
携帯電話機１は、無線基地局２及び回線網５等を通じて、他の携帯電話機や有線電話機等（図示せず）との間で通信を行うことができる。また、携帯電話機１は、無線基地局２、回線網５、及びインターネット６を通じて、プロバイダのサーバ４との間でデータ通信を行ったり、更にサーバ４を介して警備会社の通報先端末装置３や他の端末装置との間でデータ通信を行うことができる。
【００１５】
警備会社の通報先端末装置３は、例えばパーソナルコンピュータであり、データベース３ａを有する。また、プロバイダのサーバ４も、コンピュータであり、データベース４ａを有する。
【００１６】
図２は、携帯電話機１の構成を示すブロック図である。図２に示す様に携帯電話機１は、無線基地局２と無線通信を行なう通信制御部１１と、音声を入力するマイク及び音声を再生出力するスピーカ等からなる通話部１２と、ＣＣＤカメラ１３と、電話番号や各種のデータを表示する表示装置１４と、各種のプログラムやデータを記憶するメモリ１５と、電話番号やメッセージを操作入力するための操作キー１６と、緊急時に押下される緊急用赤ボタン１７と、複数の人工衛星からの電波を受信して、この携帯電話機１の位置（緯度及び軽度）を測定するＧＰＳ受信機１８と、主電源１９と、補助電源２０と、主電源１９及び補助電源２０を切り換える電源切り換えスイッチ２１と、該携帯電話機１全体の制御を司る制御部２２とを備えている。
【００１７】
この様な構成のシステムにおいては、携帯電話機１の所有者の緊急時に該携帯電話機１の緊急用赤ボタン１７が押下されると、ＧＰＳ受信機１８により携帯電話機１の位置が検出され、この携帯電話機１の位置や携帯電話機１の個人情報等がサーバ４を介して通報先端末装置３に送信され、通報先端末装置３により携帯電話機１の位置等が報知される。このため、警備会社では、通報先端末装置３の報知に応じて、携帯電話機１の位置等を直ちに確認して、何等かの対処を速やかに行うことができる。
【００１８】
この緊急時の通報によるセキュリティサービスを受けるには、このセキュリティサービスを警備会社に申し込む必要がある。携帯電話機１の所有者は、氏名や携帯電話機１のメールアドレス等からなる個人情報、セキュリティサービスの種類を警備会社に知らせて、セキュリティサービスを申し込む。この携帯電話機１の個人情報やセキュリティサービスの種類は、通報先端末装置３のデータベース３ａに登録される。セキュリティサービスの種類としては、携帯電話機１の位置に基づいて所有者を捜査したり、緊急時の発生を予め指示された人物や施設等に連絡する等がある。例えば、携帯電話機１の所有者が子供、釣り人、スキーヤー、登山家等である場合は、セキュリティサービスの種類として、所有者の捜査並びに親族への連絡を登録すれば良い。また、携帯電話機１の所有者が高齢者や病人等である場合は、セキュリティサービスの種類として、所有者の捜査並びに親族や救急病院への連絡を登録すれば良い。
【００１９】
また、緊急時の通報によりセキュリティサービスを受けるには、携帯電話機１と通報先端末装置３間の中継をサーバ４に予め申し込んでおく必要がある。この申し込み手続きの過程を図３のフローチャートに従って次に説明する。
【００２０】
まず、携帯電話機１の操作キー１６を操作することにより、サーバ４へのアクセスを指示する。これに応答して携帯電話機１の制御部２２は、通信制御部１１を制御し、無線基地局２、回線網５、及びインターネット６を通じて、プロバイダのサーバ４にアクセスし、サーバ４のサービスメニューをダウンロードして、このメニューを表示装置１４の画面に表示する（ステップＳ１０１）。そして、操作キー１６を操作することにより、画面上のメニューから「セキュリティサービス」の欄を選択し（ステップＳ１０２）、氏名や携帯電話機１のメールアドレス等からなる個人情報を入力して（ステップＳ１０３）、入力終了並びに実行を指示する。これに応答して制御部２２は、「セキュリティサービス」の申し込み情報及び個人情報を通信制御部１１を通じてサーバ４に送信する。
【００２１】
サーバ４では、「セキュリティサービス」の申し込み情報及び個人情報を受信すると、回線網５を保守管理する通信会社の加入者データベース（図示せず）をアクセスして、この加入者データベース上で該受信した個人情報を照合する（ステップＳ１０４）。そして、この個人情報が加入者データベースに登録されていなければ（ステップＳ１０４で「Ｎｏ」）、個人情報の再入力を促す旨を携帯電話機１に通知する。また、受信した個人情報が加入者データベースに登録されていれば（ステップＳ１０４で「Ｙｅｓ」）、つまり個人情報に偽りが無ければ、携帯電話機１からの「セキュリティサービス」の申し込み情報を受け付け（ステップＳ１０５）、パスワードを発行し、このパスワード、及び「セキュリティサービス」のページを携帯電話機１に送信する（ステップＳ１０６）。
【００２２】
携帯電話機１では、パスワード及び「セキュリティサービス」のページを通信制御部１１で受信すると、パスワードをメモリ１５に記憶し、「セキュリティサービス」のページを表示装置１４の画面に表示する。この状態で、操作キー１６を操作することにより、「セキュリティサービス」の利用目的、通報先、通報用メッセージ等を該ページに記入して、入力終了並びに実行を指示する。
【００２３】
携帯電話機１の制御部２２は、入力終了並びに実行が指示されると、それらの利用目的、通報先、及び通報用メッセージ等を通信制御部１１を通じてサーバ４に送信する（ステップＳ１０７）。ここでは、通報先として、警備会社の通報先端末装置３のアドレスが指示されたものとする。
【００２４】
サーバ４では、利用目的、通報先、及び通報用メッセージ等を受信すると、これらを携帯電話機１の個人情報と共にパスワードに対応させてデータベース４ａに登録する（ステップＳ１０８）。
【００２５】
こうして警備会社及びサーバ４へのセキュリティサービスの申し込みを予め行っておく。この後では、何時でも、携帯電話機１の緊急用赤ボタン１７を押下するだけで、携帯電話機１の所有者がセキュリティサービスを受けることができる。このセキュリティサービスの過程を図４のフローチャートに従って次に説明する。
【００２６】
まず、携帯電話機１では、緊急用赤ボタン１７の押下を待機しており（ステップＳ２０２で「Ｎｏ」）、携帯電話機１の所有者に緊急事態が発生して（ステップＳ２０１）、この所有者により緊急用赤ボタン１７が押下されると（ステップＳ２０２で「Ｙｅｓ」）、電源切り換えスイッチ２１が切り換えられ、主電源１９からの電力供給が断たれて、補助電源２０からの電力供給が開始される（ステップＳ２０３）。通常は、主電源１９からの電力供給により携帯電話機１が動作しており、緊急用赤ボタン１７が押下され、電源切り換えスイッチ２１が切り換えられたときにだけ、つまり緊急事態発生時に限って、補助電源２０からの電力供給により携帯電話機１が動作する。このため、主電源１９が使い切られていたり、主電源１９のスイッチ（図示せず）がオフになっている状況であっても、緊急事態発生時の携帯電話機１の動作が保証される。
【００２７】
尚、電源切り換えスイッチ２１は、例えば緊急用赤ボタン１７のオンに応答動作する論理回路やスイッチング素子を組み合わせたものであり、かつ緊急用赤ボタン１７のオンに応答して補助電源２０からの電力供給を受けて動作するものである。
【００２８】
また、携帯電話機１の制御部２２は、緊急用赤ボタン１７が押下されると、ＣＣＤカメラ１３、通話部１２、及びＧＰＳ受信機１８を起動し、ＣＣＤカメラ１３により携帯電話機１周辺を撮影させて、その映像をメモリ１５に記憶させ、通話部１２のマイクにより携帯電話機１周辺の音声を収拾させて、この音声をメモリ１５に記憶させ、ＧＰＳ受信機１８により携帯電話機１の位置を検出させて、この位置をメモリ１５に記憶させる（各ステップＳ２０４，Ｓ２０５，Ｓ２０６）。そして、制御部２２は、携帯電話機１周辺の映像、音声、及び携帯電話機１の位置をメモリ１５から読み出すと共に、ステップＳ１０６でサーバ４から与えられたパスワードをメモリ１５から読み出して、これらの映像、音声、位置、及びパスワードを通信制御部１１を通じてサーバ４へと送信する（ステップＳ２０７）。
【００２９】
サーバ４では、これらの映像、音声、位置、及びパスワードの受信を待機しており（ステップＳ２０８で「Ｎｏ」）、これらを受信すると（ステップＳ２０８で「Ｙｅｓ」）、データベース４ａを検索して（ステップＳ２０９）、受信したパスワードをデータベース４ａ上で照合し（ステップＳ２１０）、この受信したパスワードがデータベース４ａに登録されていなければ（ステップＳ２１０で「Ｎｏ」）、セキュリティサービスを行わない旨を携帯電話機１に通知する（ステップＳ２１１）。また、受信したパスワードがデータベース４ａに登録されていれば（ステップＳ２１０で「Ｙｅｓ」）、つまり携帯電話機１の所有者がセキュリティサービスを申し込んでいることが確認されると、携帯電話機１からの映像、音声、位置、及びパスワードをデータベース４ａに記憶して、携帯電話機１との通信を終了する（ステップＳ２１２）。
【００３０】
この後、サーバ４では、ステップＳ１０８でパスワードに対応させて記憶したセキュリティサービスの利用目的、通報先、通報用メッセージ、及び携帯電話機１の個人情報をデータベース４ａから読み出す（ステップＳ２１３）。そして、通報先、つまり警備会社の通報先端末装置３のアドレスに基づき、回線網５及びインターネット６を通じて、通報先端末装置３をアクセスし、通報用メッセージ及び携帯電話機１の個人情報を通報先端末装置３に送信すると共に、携帯電話機１からの映像、音声、及び位置を通報先端末装置３に転送する（ステップＳ２１４）。更に、通報先端末装置３による受信を確認してから（ステップＳ２１５で「Ｙｅｓ」）、通報先端末装置３との通信を終了する。また、通報先端末装置３による受信を確認することができなければ（ステップＳ２１５で「Ｎｏ」）、通報用メッセージ、個人情報、映像、音声、及び位置の送信を繰り返す。
【００３１】
通報先端末装置３では、通報用メッセージ、個人情報、映像、音声、及び位置を受信すると、通報用メッセージ、映像、及び位置を表示装置の画面に表示したり、音声をスピーカから再生出力して、携帯電話機１の所有者に緊急事態が発生した旨を報知する。また、先に個人情報に対応させて記憶したセキュリティサービスの種類をデータベース４ａから読み出し、このセキュリティサービスの種類を表示装置の画面に表示する（ステップＳ２１６）。
【００３２】
警備会社においては、この通報先端末装置３による報知に応じて、適確な処置を速やかに施す（ステップＳ２１７）。例えば、携帯電話機１の位置に基づいて、所有者を捜索したり、通報用メッセージ、携帯電話機１周辺の映像や音声、及びセキュリティサービスの種類に基づいて、所有者が置かれている状況を判断して、所有者の状況を親族や施設に連絡する。
【００３３】
この様に本実施形態のシステムでは、緊急時に携帯電話機１の緊急用赤ボタン１７を押下すると、ＧＰＳ受信機１８により携帯電話機１の位置が検出され、この携帯電話機１の位置、周辺の映像や音声、個人情報等がサーバ４を介して通報先端末装置３に送信され、通報先端末装置３により携帯電話機１の位置、周辺の映像や音声等が報知される。このため、警備会社では、通報先端末装置３の報知に応じて、携帯電話機１の位置、周辺の映像や音声等を直ちに確認し、何等かの対処を速やかに行うことができる。
【００３４】
尚、本発明は、上記実施形態に限定されるものではなく、多様に変形することができる。例えば、携帯電話機１とサーバ４間の通信プロトコルや、サーバ４と通報先端末装置３間の通信プロトコルを適宜に変更したり、通信データを適宜に変更しても良い。また、複数の通報先端末装置をサーバ４のデータベース４ａに予め登録しておき、緊急時の通報をサーバ４から該各通報先端末装置へと行っても良い。更に、いたずら等によりセキュリティシステムが不正に利用されたときには、サーバ４のプロバイダもしくは通報先端末装置３の警備会社から携帯電話機１の所有者に対して高額なペナルティを課したり、セキュリティの契約を解除しても良い。また、いたずら等の防止のために、緊急用赤ボタン１７を透明カバーにより覆っても良い。この透明カバーは、開閉操作されたり、強く押されたときに割れて、緊急用赤ボタン１７の押下を可能にするものが好ましい。あるいは、緊急用赤ボタン１７の色を変更したり、ボタンの頭に文字を記入したり、ボタンそのものを格別の形状にしても構わない。更に、警備会社の代わりに、警備等を業務とする組織団体に通報先端末装置を設置しても構わない。
【００３５】
【発明の効果】
以上説明した様に本発明によれば、携帯電話機の緊急用ボタンが操作されると、ＧＰＳ機能により携帯電話機の位置が検出され、この携帯電話機の位置がサーバを介して通報先端末装置へと送信される。従って、緊急用ボタンのみを操作するという極めて簡単な操作により、携帯電話機の位置を通報先端末装置に通報することができる。また、携帯電話機の位置をサーバを介して通報先端末装置に送信しているので、通報先端末装置が通話中であっても、携帯電話機の位置が通報先端末装置で受信されるまで、携帯電話機の位置がサーバから通報先端末装置へと繰り返し送信される。
【００３６】
また、携帯電話機に補助バッテリーを設け、緊急用ボタンが操作されたときに、補助バッテリーを携帯電話機の電源として用いているので、携帯電話機の主電源が使い切られていたり、主電源のスイッチがオフになっている状況であっても、携帯電話機の位置を送信することができる。
【図面の簡単な説明】
【図１】本発明のセキュリティシステムの一実施形態を示すブロック図である。
【図２】図１のシステムにおける携帯電話機を示すブロック図である。
【図３】図１のシステムにおけるサーバへのセキュリティサービスの申し込み手続きの過程を示すフローチャートである。
【図４】図１のシステムにおけるセキュリティサービスの過程を示すフローチャートである。
【符号の説明】
１　　携帯電話機
２　　無線基地局
３　　通報先端末装置
４　　サーバ
５　　回線網
６　　インターネット
１１　　通信制御部
１２　　通話部
１３　　ＣＣＤカメラ
１４　　表示装置
１５　　メモリ
１６　　操作キー
１７　　緊急用赤ボタン
１８　　ＧＰＳ受信機
１９　　主電源
２０　　補助電源
２１　　電源切り換えスイッチ
２２　　制御部
【図１】
2004040733.tif 000003
【図２】
2004040733.tif 000004
【図３】
2004040733.tif 000005
【図４】
2004040733.tif 000006